(57)【要約】【課題】軟弱な土壌に一定深さの溝を正確に形成することができ、構造が簡単で、播種の間隔を正確に調整することのできる播種機を提供する。【解決手段】管理機１に取付けられ、播種ローター１４を搭載したベース体１０と、ベース体１０の前端部に軸ピン２４で上下に揺動かつ回動自在に軸止された揺動体２６を左右に一対設け、その下端部間を軸棒２７で架設した揺動機構２０と、軸棒に自転自在に軸止されて溝Ｇを形成する二つの溝切ローラー３１を、着脱自在の設定ローラー２８を挟んで左右に分割自在に設け、その一方側面に、駆動爪３２を複数有する駆動部材３３を取付けた溝切機構３０と、溝切ローラー３１の後方に設けられ、種子Ｓを溝Ｇに案内する種子パイプ４０と、種子パイプ４０の後方に設けられ、播種後に溝Ｇを土壌Ｅで覆う覆土棒５０と、で構成する。【選択図】      図２
2005185239.tif 000002
【特許請求の範囲】
【請求項１】
トラクターや耕運機等の管理機（１）に装着して使用する播種機（２）であって、
前記管理機に取付けられ，播種ローター（１４）を搭載したベース体（１０）と、
前記ベース体に、軸ピン（２４）および弾材（２５）によって上下に揺動自在に取付けた揺動体（２６）を左右に設け，かつ，該左右の揺動体を軸棒（２７）で連結した揺動機構（２０）と、
前記軸棒に自転自在に軸止され溝（Ｇ）を形成する二つの溝切ローラー（３１）を，着脱自在の設定ローラー（２８）を挟んで左右に分割自在に設け，且つ，土壌（Ｅ）を掻いて該溝切ローラーを回転させる駆動爪（３２）を前記設定ローラー（２８）周面に放射状に複数突設した溝切機構（３０）と、
前記各溝切ローラーの後方に設けられ，前記播種ローターによって送られた種子（Ｓ）を前記溝に案内する種子パイプ（４０）と、
前記種子パイプの後方に設けられ，播種後に前記溝を土壌で覆う覆土棒（５０）と、を備えてなることを特徴とする播種機。
【請求項２】
トラクターや耕運機等の管理機（１）に装着して使用する播種機（２）であって、
前記管理機に取付けられ，播種ローター（１４）を搭載したベース体（１０）と、
前記ベース体に、軸ピン（２４）および弾材（２５）によって上下に揺動自在に取付けた揺動体（２６）を左右に設け，かつ，左右の揺動体を軸棒（２７）で連結した揺動機構（２０）と、
前記軸棒に自転自在に軸止され溝（Ｇ）を形成する二つの溝切ローラー（３１）を，着脱自在の設定ローラー（２８）を挟んで左右に分割自在に設け，且つ，土壌（Ｅ）を掻いて該溝切ローラーを回転させる駆動爪（３２）を前記設定ローラー（２８）周面に放射状に複数突設した溝切機構（３０）と、
前記各溝切ローラーの後方に設けられ，前記播種ローターによって送られた種子（Ｓ）を前記溝に案内する種子パイプ（４０）と、
前記種子パイプの後方に設けられ，播種後に前記溝を土壌で覆う覆土棒（５０）と、を備え、
前記溝切ローラーの他方側面には，外周部に複数の端末部（３４）を等間隔に配設した感知板（３５）が設けられると共に，前記揺動体（２６）には前記端末部に近接して近接センサー（２９）が設けられ，かつ，前記ベース体には，前記近接センサーによる単位時間における前記端末部の検知数から車速を演算し，その演算に基づいて播種ローターの回転を前記車速に同期させる演算機（１５）が設けられてなることを特徴とする播種機。
【発明の詳細な説明】
【技術分野】
【０００１】
本発明は、トラクターや耕運機等のいわゆる管理機に装着して使用する播種機に関するものである。
【背景技術】
【０００２】
従来から、土壌に作物の種子を播くために、トラクターや耕運機等の管理機に装着するタイプの播種機が使用されている。この播種機は、少ない人手で効果的に種播きを行うことができるので作業性が良いといった利点を持つ。
【発明の開示】
【発明が解決しようとする課題】
【０００３】
しかし、播種を行う土壌は軟弱でかつ凹凸があるため、それに一定深さの溝を正確に形成することが難しい。そのため、溝に播いた種子が深植えとなったり、その逆に地表に露出する場合があり、種子の発芽率に悪影響を与えてしまうといった問題がある。
【０００４】
また、従来の播種機は、管理機の駆動輪をスプロケット等を介して播種ローターに連結し、駆動輪の回転力を利用して播種ローターを回転させて播種を行っている。また、播種の間隔をスプロケットで調整している。そのため、構造が複雑であり、播種の間隔を正確に無段階調節することができないと言った問題があった。
【０００５】
本発明はこうした問題に鑑み創案されたもので、軟弱な土壌に一定深さの溝を正確に形成することができ、構造が簡単で、播種の間隔を正確に調整することのできる播種機を提供することを課題とする。
【課題を解決するための手段】
【０００６】
図１乃至図６を参照して説明する。請求項１に記載の発明は、トラクターや耕運機等の管理機１に装着して使用する播種機２であって、前記管理機１に取付けられ、播種ローター１４を搭載したベース体１０と、前記ベース体１０に、軸ピン２４および弾材２５によって上下に揺動自在に取付けた揺動体２６を左右に設け、かつ、左右の揺動体２６を軸棒２７で連結した揺動機構２０と、前記軸棒２７に自転自在に軸止され溝Ｇを形成する二つの溝切ローラー３１を、着脱自在の設定ローラー２８を挟んで左右に分割自在に設け、且つ、土壌Ｅを掻いて当該溝切ローラー２８を回転させる駆動爪３２を前記設定ローラー２８周面に放射状に複数突設した溝切機構３０と、前記各溝切ローラー２８の後方に設けられ、前記播種ローター１４によって送られた種子Ｓを前記溝Ｇに案内する種子パイプ４０と、前記種子パイプ４０の後方に設けられ、播種後に前記溝Ｇを土壌Ｅで覆う覆土棒５０と、を備えてなることを特徴とするものである。
【０００７】
請求項２に記載の発明は、トラクターや耕運機等の管理機１に装着して使用する播種機２であって、前記管理機１に取付けられ、播種ローター１４を搭載したベース体１０と、前記ベース体１０に、軸ピン２４および弾材２５によって上下に揺動自在に取付けた揺動体２６を左右に設け、かつ、左右の揺動体２６を軸棒２７で連結した揺動機構２０と、前記軸棒２７に自転自在に軸止され溝Ｇを形成する二つの溝切ローラー３１を、着脱自在の設定ローラー２８を挟んで左右に分割自在に設け、且つ、土壌Ｅを掻いて当該溝切ローラー２８を回転させる駆動爪３２を前記設定ローラー２８周面に放射状に複数突設した溝切機構３０と、前記各溝切ローラー２８の後方に設けられ、前記播種ローター１４によって送られた種子Ｓを前記溝Ｇに案内する種子パイプ４０と、前記種子パイプ４０の後方に設けられ、播種後に前記溝Ｇを土壌Ｅで覆う覆土棒５０と、を備え、二つの溝切ローラー２８の他方側面には、外周部に複数の端末部３４を等間隔に配設した感知板３５が設けられると共に、前記揺動体２６には前記端末部３４に近接して近接センサー２９が設けられ、かつ、前記ベース体１０には、前記近接センサー２９による単位時間における前記端末部３４の検知数から車速を演算し、その演算に基づいて播種ローター１４の回転を前記車速に同期させる演算機１５が設けられてなることを特徴とするものである。
【発明の効果】
【０００８】
請求項１に記載の発明は、揺動機構２０の揺動体２６を弾材２５のはたらきで上下に揺動自在としているので、当該揺動機構２０の軸棒２７に軸止した溝切ローラー３１も上下に揺動自在とすることができる。これにより、溝切ローラー３１は、軟弱で凹凸のある土壌Ｅの表面上を、土壌Ｅの反力によって上下に揺動しながら転動するので、一定深さの溝Ｇを正確に形成することができる。
【０００９】
また、本発明における設定ローラー２８には、駆動爪３２を備えており、その駆動爪３２が土壌Ｅに入り込み、土壌Ｅを掻くようにして溝切ローラー３１を回転させるので、従来のスプロケット等の駆動機構を必要としない。従って、構造を簡素化することができる。
【００１０】
さらに、一対の溝切ローラー３１を分割自在に設け、かつ、その間に着脱自在の前記設定ローラー２８を設けたので、横幅の異なる設定ローラー２８を使用することによって一対の溝切ローラー３１で形成される二つの溝Ｇの間隔を自在に調節することができる（図５参照）。
【００１１】
請求項２に記載の発明は、請求項１に記載の発明同様に、一定深さの溝Ｇを正確に形成し、構造を簡素化し、二つの溝Ｇの間隔を自在に調節することができる。また、感知板３５、近接センサー２９および演算機１５を設けて、播種ローター１４の回転を管理機１の車速に同期させたので、管理機１の速度に関係なく種子Ｓを一定間隔で播くことができる。
【発明を実施するための最良の形態】
【００１２】
本発明に係る播種機２の実施形態を、図１乃至図６に示す。これは管理機（トラクター）１の後端部に装着し、耕作部３で土壌Ｅを耕した直後に播種を行う播種機２であり、ベース体１０、揺動機構２０、溝切機構３０、種子パイプ４０および覆土棒５０を備える。
【００１３】
ベース体１０は、管理機１に取付けられ、種子容器１１と、ステッピングモーター１２と真空ポンプ１３で播種を行う真空吸着式の播種ローター１４を搭載している。揺動機構２０は、上横片２１と縦片２２と下横片２３を備え、上横片２１の前端部をベース体１０の前端部下面に軸ピン２４で上下に回動自在に軸止し、上横片２１とベース体１０との間に弾材（渦巻きバネ）２５を設けた側面略Ｚ字状の揺動体２６を左右に設け、かつ、当該左右の揺動体２６の縦片２２の下端部間を軸棒２７で連結している。真空ポンプ１３と播種ローター１４とは接続パイプ１６で接続している。
【００１４】
溝切機構３０は、軸棒２７に自転自在に軸止され溝Ｇを形成する二つの溝切ローラー３１を、着脱自在の設定ローラー２８を挟んで左右に分割自在に設け、下端が周面から突出し、土壌Ｅを掻いて該溝切ローラー３１を回転させる駆動爪３２を設定ローラー２８に複数設けている。駆動爪３２の数は限定されないが、６〜１２本程度が好ましい。
【００１５】
種子パイプ４０は、各溝切ローラー３１の後方に設けられ、播種ローター１４によって一粒づつ、あるいは複数粒づつ送られてくる種子Ｓを溝Ｇに案内するものである。覆土棒５０は、種子パイプ４０の後方に設けられ、播種を終えた後に溝Ｇを土壌Ｅで覆うものであり、左右の左横片２３，２３に支承固着したところの水平軸５２にスライドブロック５３が摺回動可能に嵌合支承されると共に、スライドブロックに螺込んだ締付ネジ５４で位置固定されるようになっている。スライドブロック５３に上下方向摺動自在に嵌挿された覆土棒５０は締付ボトル５５で位置固定される。ベース体１０に下向き突設した突片１０ａと覆土棒５０の間にはスプリング５１が張架されている。
【００１６】
なお、本実施形態においては、二つの溝切ローラー３１の他方側面に、外周部に複数の端末部３４を等間隔に配設した感知板３５を設けると共に、揺動体２６に、感知板３５の端末部３４に近接して近接センサー２９を設けている。また、ベース体１０に、近接センサー２９による単位時間における端末部３４の検知数から管理機１の車速を演算し、その演算に基づいて播種ローター１４の回転をその車速に同期させる演算機１５を設けている。演算機１５と播種ローターと１４とは接続ライン１７で接続している。
【００１７】
この播種機２は次のように作動する。まず、管理機１を前進させる。これによって、その後端部に装着されている播種機２が牽引されて前進し、溝切ローラー３１が土壌Ｅの上面を転動しながら土壌Ｅに溝Ｇを形成する。この溝切ローラー３１は、その前端部がベース体１０に軸止され、かつベース体１０との間に弾材２５を設けているので、土壌Ｅの凹凸に従って上下に揺動する。従って、均一な深さの溝Ｇを正確に形成することができる。
【００１８】
また、溝切ローラー３１の転動は、設定ローラー２８の駆動爪３２が土壌Ｅに入り込み、当該土壌Ｅを掻くことによって自動的に行われる。従って、溝切ローラー３１を回転させるための動力機構を必要としないので、それだけ構造を簡素化することができる。
【００１９】
溝切ローラー３１が回動すると、近接センサー２９が所定時間内における感知板３５の端末部３４の検知数によって、演算機１５が管理機１の速度を演算する。そして、その速度に同期してステッピングモーター１２を回転させ、種子容器１１内の種子Ｓを真空ポンプ１３による負圧で種子パイプ４０に送り出す。送り出された種子Ｓは、種子パイプ４０を通って溝Ｇに落下する。従って、管理機１の速度に関係なく、種子Ｓを一定間隔で溝Ｇに播くことができる。播種完了後、覆土棒５０が種子Ｓの植えに土壌Ｅを被せ播種作業を完了する。
【００２０】
なお、本実施形態においては、覆土棒５０を揺動体２６の下横片２３にスプリング５１で連結している。更に覆土棒は左右調整及び角度変更自在，長さ調整可能である。従って、覆土棒５０は土壌Ｅの凹凸によって適度に揺動するため、適量の土壌Ｅを種子Ｓの上に被せることができる。
【図面の簡単な説明】
【００２１】
【図１】本発明の実施形態に係る播種機を管理機に取付けた状態を示す側面図である。
【図２】図１に示す播種機の側面図である。
【図３】図１に示す播種機の平面図である。
【図４】図１に示す播種機の背面図である。
【図５】図１に示す播種機に取付けた溝切ローラーを示す分解背面図である。
【図６】設定ローラーの側面図である。
【図７】覆土棒の近傍の側面図である。
【図８】覆土棒の近傍の背面図である。
【符号の説明】
【００２２】
１      管理機
２      播種機
３      耕作部
１０    ベース体
１０ａ  突片
１１    種子容器
１２    ステッピングモーター
１３    真空ポンプ
１４    播種ローター
１５    演算機
１６    接続パイプ
１７    接続ライン
２０    揺動機構
２１    上横片
２２    縦片
２３    下横片
２４    軸ピン
２５    弾材
２６    揺動体
２７    軸棒
２８    設定ローラー
２９    近接センサー
３０    溝切機構
３１    溝切ローラー
３２    駆動爪
３４    端末部
３５    感知板
４０    種子パイプ
５０    覆土棒
５１    スプリング
５２    水平軸
５３    スライドブロック
５４    締付ネジ
５５    締付ボルト
Ｅ      土壌
Ｇ      溝
Ｓ      種子
【図１】
2005185239.tif 000003
【図２】
2005185239.tif 000004
【図３】
2005185239.tif 000005
【図４】
2005185239.tif 000006
【図５】
2005185239.tif 000007
【図６】
2005185239.tif 000008
【図７】
2005185239.tif 000009
【図８】
2005185239.tif 000010